(57)【特許請求の範囲】
【請求項１】
均等パワー分配のための第1の180度ブリッジ、不均等パワー分配のための180度ブリッジ、90度位相シフタ、および均等パワー分配のための第2の180度ブリッジを備えるビームフォーミングネットワークであって、前記均等パワー分配のための第1の180度ブリッジ、前記不均等パワー分配のための180度ブリッジ、および前記均等パワー分配のための第2の180度ブリッジは別々に、合計入力ポート、差分入力ポート、前記合計入力ポートの直線状ポート、および前記合計入力ポートの結合ポートを有し、
前記均等パワー分配のための第1の180度ブリッジの前記合計入力ポートの前記結合ポートは、前記不均等パワー分配のための180度ブリッジの前記差分入力ポートに接続され、前記均等パワー分配のための第1の180度ブリッジの前記合計入力ポートの前記直線状ポートは、前記90度位相シフタの入力ポートに接続され、前記90度位相シフタの出力ポートは、前記均等パワー分配のための第2の180度ブリッジの前記差分入力ポートに接続され、前記不均等パワー分配のための180度ブリッジの前記合計入力ポートの前記直線状ポートは、前記均等パワー分配のための第2の180度ブリッジの前記合計入力ポートに接続され、
前記均等パワー分配のための第1の180度ブリッジの2つの入力ポートおよび前記不均等パワー分配のための180度ブリッジの前記合計入力ポートは、信号を基地局トランシーバから受信するように構成され、前記不均等パワー分配のための180度ブリッジの前記合計入力ポートの前記結合ポートおよび前記均等パワー分配のための第2の180度ブリッジの2つの出力ポートは、アンテナアレイに給電するように構成される、ビームフォーミングネットワーク。
【請求項２】
前記不均等パワー分配のための180度ブリッジのパワー分配比は、1:2または1:4である、請求項1に記載のビームフォーミングネットワーク。
【請求項３】
前記ビームフォーミングネットワークは、第1のパワー分配器および第2のパワー分配器をさらに備え、
前記均等パワー分配のための第2の180度ブリッジの前記合計入力ポートの前記直線状ポートは、前記第1のパワー分配器の入力ポートに接続され、前記均等パワー分配のための第2の180度ブリッジの前記合計入力ポートの前記結合ポートは、前記第2のパワー分配器の入力ポートに接続され、前記第1のパワー分配器および前記第2のパワー分配器は別々に、2つの出力ポートを有し、前記第1のパワー分配器および前記第2のパワー分配器の前記出力ポートは、前記アンテナアレイに給電するように構成される、請求項1または2に記載のビームフォーミングネットワーク。
【請求項４】
前記第1のパワー分配器および前記第2のパワー分配器のパワー分配比は、3:7であり、前記不均等パワー分配のための180度ブリッジの前記パワー分配比は、1:2である、請求項3に記載のビームフォーミングネットワーク。
【請求項５】
前記ビームフォーミングネットワークは、第1のパワー分配器、第2のパワー分配器、および第3のパワー分配器をさらに備え、
前記均等パワー分配のための第2の180度ブリッジの前記合計入力ポートの前記直線状ポートは、前記第1のパワー分配器の入力ポートに接続され、前記均等パワー分配のための第2の180度ブリッジの前記合計入力ポートの前記結合ポートは、前記第2のパワー分配器の入力ポートに接続され、前記不均等パワー分配のための180度ブリッジの前記合計入力ポートの前記結合ポートは、前記第3のパワー分配器の入力ポートに接続され、前記第1のパワー分配器、前記第2のパワー分配器、および前記第3のパワー分配器は別々に、2つの出力ポートを有し、前記第1のパワー分配器、前記第2のパワー分配器、および前記第3のパワー分配器の前記出力ポートは、前記アンテナアレイに給電するように構成される、請求項1または2に記載のビームフォーミングネットワーク。
【請求項６】
前記第1のパワー分配器および前記第2のパワー分配器のパワー分配比は、両方とも1:4であり、前記第3のパワー分配器のパワー分配比は、1:1であり、前記不均等パワー分配のための180度ブリッジの前記パワー分配比は、1:2である、請求項5に記載のビームフォーミングネットワーク。
【請求項７】
請求項1から6のいずれか一項に記載のビームフォーミングネットワークおよびアンテナアレイを備える基地局アンテナであって、前記アンテナアレイは、多重直線アレイを備え、各直線アレイは、少なくとも1つのアンテナユニットを含み、前記ビームフォーミングネットワークの各出力ポートは、前記直線アレイのうちの1つに給電する、基地局アンテナ。
【発明の詳細な説明】
【技術分野】
【０００１】
本発明の実施形態は、モバイル通信技術の分野に関し、詳細には、ビームフォーミングネットワークおよび基地局アンテナに関する。
【背景技術】
【０００２】
モバイル通信のサービストラフィックの急増とともに、モバイル通信ネットワークのオペレータおよびユーザは、ネットワークカバレッジおよび通信データトラフィックに対する要求はますます高まっている。ネットワークの主要な構成要素である多くの種類の基地局アンテナが出現し、対応する新しい技術が、それに応じて出現する。マルチビームアンテナは、これらのアンテナのうちの1つである。
【０００３】
従来の単一ビームアンテナに対応するカバレッジエリアは、ワイドビームのエリアだけである。エリア内のすべてのユーザ機器は、同じビームを使用することによってネットワークにアクセスし、ネットワーク容量は、制限される。マルチビームアンテナは、異なる方向にあり、互いに直交する多重ビームを同時に形成することができ、異なるビームは、異なるエリアをカバーすることができ、それは、ネットワーク容量を大幅に改善する。マルチビームアンテナは一般に、2つの部分、ビームフォーミングネットワーク(Beam Forming Network、BFN)およびアンテナアレイから成る。ビームフォーミングネットワークは、多重入力ポートおよび多重出力ポートを有する、給電ネットワークマトリックスである。各入力ポートは、ビームポートと呼ばれる。ビームフォーミングネットワークでは、デジタルまたはアナログ方式が、入力ポートの信号と出力ポートの信号との間の多重マッピングの振幅および位相関係を確立するために使用される。N個の出力ポートを有するビームフォーミングネットワークが、一例として使用される。任意の入力ポートが、信号を基地局トランシーバから受信すると、その信号は、N個の出力ポートにおいて特定の振幅および位相を有するN個の信号としてマッピングされ(例えば、N個の信号は、同じ振幅を有し、位相においては直線関係を有し)、N個の出力ポートは、ビームを形成するためにアンテナアレイに給電する。
【０００４】
代表的なビームフォーミングネットワークは、バトラー(Butler)マトリックスである。しかしながら、バトラーマトリックスは、複雑な構造を有し、製作するのが困難である。
【発明の概要】
【課題を解決するための手段】
【０００５】
これを考慮して、本発明の実施形態は、簡単な構造を有し、製作するのが容易である、ビームフォーミングネットワークおよび基地局アンテナを提供する。
【０００６】
第1の態様によると、均等パワー分配のための第1の180度ブリッジ、不均等パワー分配のための180度ブリッジ、90度位相シフタ、および均等パワー分配のための第2の180度ブリッジを含むビームフォーミングネットワークが提供され、均等パワー分配のための第1の180度ブリッジ、不均等パワー分配のための180度ブリッジ、および均等パワー分配のための第2の180度ブリッジは別々に、合計入力ポート、差分入力ポート、合計入力ポートの直線状ポート、および合計入力ポートの結合ポートを有し、均等パワー分配のための第1の180度ブリッジの合計入力ポートの結合ポートは、不均等パワー分配のための180度ブリッジの差分入力ポートに接続され、均等パワー分配のための第1の180度ブリッジの合計入力ポートの直線状ポートは、90度位相シフタの入力ポートに接続され、90度位相シフタの出力ポートは、均等パワー分配のための第2の180度ブリッジの差分入力ポートに接続され、不均等パワー分配のための180度ブリッジの合計入力ポートの直線状ポートは、均等パワー分配のための第2の180度ブリッジの合計入力ポートに接続され、均等パワー分配のための第1の180度ブリッジの2つの入力ポートおよび不均等パワー分配のための180度ブリッジの合計入力ポートは、信号を基地局トランシーバから受信するように構成され、不均等パワー分配のための180度ブリッジの合計入力ポートの結合ポートおよび均等パワー分配のための第2の180度ブリッジの2つの出力ポートは、アンテナアレイに給電するように構成される。
【０００７】
第1の態様の第1の可能な実装方式では、不均等パワー分配のための180度ブリッジのパワー分配比は、1:2または1:4である。
【０００８】
第1の態様または第1の態様の第1の可能な実装方式を参照して、第2の可能な実装方式では、ビームフォーミングネットワークは、第1のパワー分配器および第2のパワー分配器をさらに含み、均等パワー分配のための第2の180度ブリッジの合計入力ポートの直線状ポートは、第1のパワー分配器の入力ポートに接続され、均等パワー分配のための第2の180度ブリッジの合計入力ポートの結合ポートは、第2のパワー分配器の入力ポートに接続され、第1のパワー分配器および第2のパワー分配器は別々に、2つの出力ポートを有し、第1のパワー分配器および第2のパワー分配器の出力ポートは、アンテナアレイに給電するように構成される。
【０００９】
第1の態様の第2の可能な実装方式を参照して、第3の可能な実装方式では、第1のパワー分配器および第2のパワー分配器のパワー分配比は、3:7であり、不均等パワー分配のための180度ブリッジのパワー分配比は、1:2である。
【００１０】
第1の態様または第1の態様の第1の可能な実装方式を参照して、第4の可能な実装方式では、ビームフォーミングネットワークは、第1のパワー分配器、第2のパワー分配器、および第3のパワー分配器をさらに含み、均等パワー分配のための第2の180度ブリッジの合計入力ポートの直線状ポートは、第1のパワー分配器の入力ポートに接続され、均等パワー分配のための第2の180度ブリッジの合計入力ポートの結合ポートは、第2のパワー分配器の入力ポートに接続され、不均等パワー分配のための180度ブリッジの合計入力ポートの結合ポートは、第3のパワー分配器の入力ポートに接続され、第1のパワー分配器、第2のパワー分配器、および第3のパワー分配器は別々に、2つの出力ポートを有し、第1のパワー分配器、第2のパワー分配器、および第3のパワー分配器の出力ポートは、アンテナアレイに給電するように構成される。
【００１１】
第1の態様の第4の可能な実装方式を参照して、第5の可能な実装方式では、第1のパワー分配器および第2のパワー分配器のパワー分配比は、両方とも1:4であり、第3のパワー分配器407のパワー分配比は、1:1であり、不均等パワー分配のための180度ブリッジのパワー分配比は、1:2である。
【００１２】
第2の態様によると、前述の態様において提供されるビームフォーミングネットワークおよびアンテナアレイを含む基地局アンテナが提供され、アンテナアレイは、多重直線アレイを含み、各直線アレイは、少なくとも1つのアンテナユニットを含み、ビームフォーミングネットワークの各出力ポートは、直線アレイのうちの1つに給電する。
【００１３】
前述の解決策を用いて、基地局アンテナは、3つの固定ビームを形成することができ、ビームフォーミングネットワークは、簡単な構造を有し、製作するのが容易である。
【図面の簡単な説明】
【００１４】
【図１】本発明の一実施形態によるビームフォーミングネットワークの回路図である。
【図２】本発明の一実施形態による180度ブリッジの回路図である。
【図３】本発明の別の実施形態によるビームフォーミングネットワークの回路図である。
【図４】本発明の別の実施形態によるビームフォーミングネットワークの回路図である。
【図５】本発明の一実施形態による基地局アンテナの構造ブロック図である。
【図６】本発明の一実施形態による別の基地局アンテナの構造ブロック図である。
【図７】本発明の一実施形態による別の基地局アンテナの構造ブロック図である。
【図８】本発明の一実施形態による別の基地局アンテナの構造ブロック図である。
【発明を実施するための形態】
【００１５】
本発明の実施形態は、主要構成要素として180度ブリッジを使用するビームフォーミングネットワークを提供する。ビームフォーミングネットワークは、簡単な構造を有し、製作するのが容易であり、基地局アンテナが3つのビームを異なる方向に同時に生成することを可能にする。
【００１６】
図1に示されるように、本発明の一実施形態は、主要構成要素として180度ブリッジを使用するビームフォーミングネットワークを提供する。図1を参照すると、ビームフォーミングネットワークは、均等パワー分配のための第1の180度ブリッジ101、不均等パワー分配のための180度ブリッジ102、90度位相シフタ103、および均等パワー分配のための第2の180度ブリッジ104を含む。均等パワー分配のための第1の180度ブリッジ101、不均等パワー分配のための180度ブリッジ102、および均等パワー分配のための第2の180度ブリッジ104は別々に、合計入力ポート、差分入力ポート、合計入力ポートの直線状ポート、および合計入力ポートの結合ポートを有する。
【００１７】
均等パワー分配のための第1の180度ブリッジ101の合計入力ポートの結合ポートは、不均等パワー分配のための180度ブリッジ102の差分入力ポートに接続される。均等パワー分配のための第1の180度ブリッジ101の合計入力ポートの直線状ポートは、90度位相シフタ103の入力ポートに接続される。90度位相シフタ103の出力ポートは、均等パワー分配のための第2の180度ブリッジ104の差分入力ポートに接続される。不均等パワー分配のための180度ブリッジ102の合計入力ポートの直線状ポートは、均等パワー分配のための第2の180度ブリッジ104の合計入力ポートに接続される。均等パワー分配のための第1の180度ブリッジ101の2つの入力ポートおよび不均等パワー分配のための180度ブリッジ102の合計入力ポートは、信号を基地局トランシーバから受信するように構成される。不均等パワー分配のための180度ブリッジ102の合計入力ポートの結合ポートおよび均等パワー分配のための第2の180度ブリッジ104の2つの出力ポートは、アンテナアレイに給電するように構成される。
【００１８】
図2は、本発明の一実施形態による180度ブリッジの回路図である。図2に示されるように、180度ブリッジは、2つの入力ポート201および202ならびに2つの出力ポート203および204を含む、受動4ポートネットワークである。Σは、ブリッジの合計ポート201を表すために使用され、Δは、ブリッジの差分ポート202を表すために使用される。ポート203は、合計ポート201の結合ポートと呼ばれ、ポート204は、合計ポート201の直線状ポートと呼ばれる。さらに、ポート204は、差分ポート202の結合ポートと呼ばれ、ポート203は、差分ポート202の直線状ポートと呼ばれる。
【００１９】
180度ブリッジは、均等パワー分配のための180度ブリッジおよび不均等パワー分配のための180度ブリッジを含み、均等パワー分配のための180度ブリッジは、一般に3dBの180度ブリッジとも呼ばれる。一般に、パワー分配比は、180度ブリッジの2つの出力ポートのパワー間の関係を規定するために使用される。パワー分配比は、信号が、入力ポートに入力されるとき、任意の入力ポートに対応する結合ポートおよび直線状ポートの出力信号のパワー比として定義される。均等パワー分配のための180度ブリッジについては、信号が、合計ポート201に入力されるとき、2つの出力ポートに対応する出力信号のパワー比は、1:1であり、位相シフト差は、0度である(図2での出力ポート204における0度の識別子は、位相関係を示す)。信号が、差分ポート202に入力されるとき、2つの出力ポートに対応する出力信号のパワー比は、1:1であり、出力ポート204の信号と比較して、出力ポート203の信号は、180度の位相遅延を有する(図2での出力ポート203における-180度の識別子は、位相関係を示す)。不均等パワー分配のための180度ブリッジについては、パワー分配比が1:2であると仮定すると、信号が、合計ポート201に入力されるとき、結合ポート203および直線状ポート204に対応する出力信号のパワー比は、1:2である。信号が、差分ポートに入力されるとき、結合ポート204および直線状ポート203に対応する出力信号のパワー比は、1:2である。不均等パワー分配のための180度ブリッジおよび均等パワー分配のための180度ブリッジは、一貫した位相特性を有する。
【００２０】
前述の実施形態では、オプションとして、3つのビームが互いに直交することを実施するように、不均等パワー分配のための180度ブリッジ102のパワー分配比は、1:2または1:4であってもよい。実際のシステムでは、ビームサイドローブ最適化、ビーム直交性、挿入損失、および同様のものについて異なる要求を満たすために、不均等パワー分配のための180度ブリッジ102のパワー分配比は、柔軟に設定されてもよい。
【００２１】
オプションとして、前述の構成要素は、伝送線路または同軸構造を有するマイクロストリップを使用することによって接続されてもよい。
【００２２】
オプションとして、前述のビームフォーミングネットワークは、3つの出力ポートを有し、アンテナアレイは、3つの直線アレイを含んでもよく、各直線アレイは、少なくとも1つのアンテナユニットを含み、ビームフォーミングネットワークの各出力ポートは、直線アレイのうちの1つに給電する。
【００２３】
本発明のこの実施形態では、3つの固定ビームを形成するために使用されるビームフォーミングネットワークは、簡単な構造を有し、製作するのが容易である。
【００２４】
図3に示されるように、本発明の一実施形態は、別のビームフォーミングネットワークを提供する。2つのパワー分配器が、図2に示されるビームフォーミングネットワークに基づいて追加される。ビームフォーミングネットワークは、均等パワー分配のための第1の180度ブリッジ301、不均等パワー分配のための180度ブリッジ302、90度位相シフタ303、均等パワー分配のための第2の180度ブリッジ304、第1のパワー分配器305、および第2のパワー分配器306を含む。
【００２５】
均等パワー分配のための第1の180度ブリッジ301の合計入力ポートの結合ポートは、不均等パワー分配のための180度ブリッジ302の差分入力ポートに接続される。均等パワー分配のための第1の180度ブリッジ301の合計入力ポートの直線状ポートは、90度位相シフタ303の入力ポートに接続される。90度位相シフタ303の出力ポートは、均等パワー分配のための第2の180度ブリッジ304の差分入力ポートに接続される。不均等パワー分配のための180度ブリッジ302の合計入力ポートの直線状ポートは、均等パワー分配のための第2の180度ブリッジ304の合計入力ポートに接続される。均等パワー分配のための第2の180度ブリッジ304の合計入力ポートの直線状ポートは、第1のパワー分配器305の入力ポートに接続される。均等パワー分配のための第2の180度ブリッジ304の合計入力ポートの結合ポートは、第2のパワー分配器306の入力ポートに接続される。第1のパワー分配器305および第2のパワー分配器306は両方とも、2つの出力ポートを有する。第1のパワー分配器305および第2のパワー分配器306の出力ポートは、アンテナアレイに給電するように構成される。均等パワー分配のための第1の180度ブリッジ301の2つの入力ポートおよび不均等パワー分配のための180度ブリッジ302の合計入力ポートは、信号を基地局トランシーバから受信するように構成される。
【００２６】
オプションとして、3つのビームが互いに直交し、ビームサイドローブを効果的に抑制することを実施するように、第1のパワー分配器305および第2のパワー分配器306のパワー分配比は、3:7であり、不均等パワー分配のための180度ブリッジ202のパワー分配比は、1:2であってもよい。実際のシステムでは、ビームサイドローブ最適化、ビーム直交性、挿入損失、および同様のものについて異なる要求を満たすために、第1のパワー分配器305、第2のパワー分配器306、および不均等パワー分配のための180度ブリッジ302のパワー分配比は、柔軟に設定されてもよい。
【００２７】
不均等パワー分配のための180度ブリッジ302の合計入力ポートの結合ポート、第1のパワー分配器305の2つの出力ポート、および第2のパワー分配器306の2つの出力ポートは、アンテナアレイに給電するように構成される。
【００２８】
前述のビームフォーミングネットワークは、5つの出力ポートを有する。オプションとして、アンテナアレイは、5つの直線アレイを含んでもよく、各直線アレイは、少なくとも1つのアンテナユニットを含み、ビームフォーミングネットワークの各出力ポートは、直線アレイのうちの1つに給電する。
【００２９】
本発明のこの実施形態では、3つの固定ビームを形成するために使用されるビームフォーミングネットワークは、簡単な構造を有し、製作するのが容易である。
【００３０】
図4に示されるように、本発明の一実施形態は、別のビームフォーミングネットワークを提供する。3つのパワー分配器が、図2に示されるビームフォーミングネットワークに基づいて追加される。図4を参照すると、ビームフォーミングネットワークは、均等パワー分配のための第1の180度ブリッジ401、不均等パワー分配のための180度ブリッジ402、90度位相シフタ403、均等パワー分配のための第2の180度ブリッジ404、第1のパワー分配器405、第2のパワー分配器406、および第3のパワー分配器407を含む。
【００３１】
均等パワー分配のための第1の180度ブリッジ401の合計入力ポートの結合ポートは、不均等パワー分配のための180度ブリッジ402の差分入力ポートに接続される。均等パワー分配のための第1の180度ブリッジ401の合計入力ポートの直線状ポートは、90度位相シフタ403の入力ポートに接続される。90度位相シフタ403の出力ポートは、均等パワー分配のための第2の180度ブリッジ404の差分入力ポートに接続される。不均等パワー分配のための180度ブリッジ402の合計入力ポートの直線状ポートは、均等パワー分配のための第2の180度ブリッジ404の合計入力ポートに接続される。均等パワー分配のための第2の180度ブリッジ404の合計入力ポートの直線状ポートは、第1のパワー分配器405の入力ポートに接続される。均等パワー分配のための第2の180度ブリッジ404の合計入力ポートの結合ポートは、第2のパワー分配器406の入力ポートに接続される。不均等パワー分配のための180度ブリッジ402の合計入力ポートの結合ポートは、第3のパワー分配器407の入力ポートに接続される。第1のパワー分配器405、第2のパワー分配器406、および第3のパワー分配器407は別々に、2つの出力ポートを有する。第1のパワー分配器405、第2のパワー分配器406、および第3のパワー分配器407の出力ポートは、アンテナアレイに給電するように構成される。均等パワー分配のための第1の180度ブリッジ401の2つの入力ポートおよび不均等パワー分配のための180度ブリッジ402の合計入力ポートは、信号を基地局トランシーバから受信するように構成される。
【００３２】
オプションとして、3つのビームが互いに直交し、ビームサイドローブを効果的に抑制することを実施するように、第1のパワー分配器405のパワー分配比および第2のパワー分配器406のパワー分配比は、両方とも1:4であってもよく、第3のパワー分配器407のパワー分配比は、1:1であり、不均等パワー分配のための180度ブリッジ402のパワー分配比は、1:2であってもよい。実際のシステムでは、ビームサイドローブ最適化、ビーム直交性、挿入損失、および同様のものについて異なる要求を満たすために、第1のパワー分配器405、第2のパワー分配器406、第3のパワー分配器407、および不均等パワー分配のための180度ブリッジ402のパワー分配比は、柔軟に設定されてもよい。
【００３３】
第1のパワー分配器405の2つの出力ポート、第2のパワー分配器406の2つの出力ポート、および第3のパワー分配器407の2つの出力ポートは、アンテナアレイに給電するように構成される。
【００３４】
前述のビームフォーミングネットワークは、6つの出力ポートを有する。オプションとして、アンテナアレイは、6つの直線アレイを含んでもよく、各直線アレイは、少なくとも1つのアンテナユニットを含み、ビームフォーミングネットワークの各出力ポートは、直線アレイのうちの1つに給電する。
【００３５】
本発明のこの実施形態では、3つの固定ビームを形成するために使用されるビームフォーミングネットワークは、簡単な構造を有し、製作するのが容易である。
【００３６】
本発明のこの実施形態では、ビームフォーミングネットワークは、より多くのパワー分配器を含んでもよく、アンテナアレイは、より多くの直線アレイを含んでもよいことに留意すべきである。
【００３７】
図5に示されるように、本発明の一実施形態は、前述の実施形態によるビームフォーミングネットワーク501およびアンテナアレイ502を含む基地局アンテナをさらに提供する。アンテナアレイ502は、多重直線アレイ5021を含み、各直線アレイ5021は、少なくとも1つのアンテナユニットを含み、ビームフォーミングネットワーク501の各出力ポートは、直線アレイ5021の1つに給電するように構成される。
【００３８】
図5は、単に3つの概略的直線アレイを示す。直線アレイの量は、本発明では制限されず、例えば、3、5、または6であってもよく、対応する構造ブロック図はそれぞれ、図6、図7、および図8に示される。多重直線アレイは、等間隔に連続して配置される。
【００３９】
本発明のこの実施形態では、3つの固定ビームを形成するために使用される基地局アンテナは、簡単な構造を有し、製作するのが容易である。
【００４０】
前述の説明は、単に本発明の例示的実施形態であり、本発明の保護範囲を制限することを意図していない。本発明の趣旨および原理から逸脱することなくなされる任意の変更、等価な置換、または改善は、本発明の保護範囲内に入るものとする。
【符号の説明】
【００４１】
101  均等パワー分配のための第1の180度ブリッジ
102  不均等パワー分配のための180度ブリッジ
103  90度位相シフタ
104  均等パワー分配のための第2の180度ブリッジ
201  入力ポート、合計ポート
202  入力ポート、差分ポート
203  出力ポート、合計ポートの結合ポート、差分ポートの直線状ポート
204  出力ポート、合計ポートの直線状ポート、差分ポートの結合ポート
301  均等パワー分配のための第1の180度ブリッジ
302  不均等パワー分配のための180度ブリッジ
303  90度位相シフタ
304  均等パワー分配のための第2の180度ブリッジ
305  第1のパワー分配器
306  第2のパワー分配器
401  均等パワー分配のための第1の180度ブリッジ
402  不均等パワー分配のための180度ブリッジ
403  90度位相シフタ
404  均等パワー分配のための第2の180度ブリッジ
405  第1のパワー分配器
406  第2のパワー分配器
407  第3のパワー分配器
501  ビームフォーミングネットワーク
502  アンテナアレイ
5021  直線アレイ
601, 602, 604  180度ブリッジ
603  90度位相シフタ
【図１】
0006368048.tif 000002
【図２】
0006368048.tif 000003
【図３】
0006368048.tif 000004
【図４】
0006368048.tif 000005
【図５】
0006368048.tif 000006
【図６】
0006368048.tif 000007
【図７】
0006368048.tif 000008
【図８】
0006368048.tif 000009